(57)【要約】【課題】  簡単な構成で、かつ使用者に不快感を与えることなく音声入力が可能なヘッドマウントディスプレイを提供する。【解決手段】  ヘッドマウントディスプレイ１は、リアアーム２、リアアーム２に取り付けられた収納部３、収納部３に収納可能に保持されたディスプレイアーム４、ディスプレイアーム４の先端に回動可能に取り付けられた表示部５、リアアーム２の両端部に設けられたヘッドホーン６を主要部としている。ヘッドホーン６には、耳かけ６ａが設けられている。表示部５には、その前面にマイクロフォン７が設けられている。図に示す状態では、表示部５は使用者の左眼の前に位置し、マイクロフォン７の指向性は、ヘッドマウントディスプレイ１の装着状態で斜め右下側にある使用者の口の方向を向くようにされている。【選択図】  図１
2005181440.tif 000002
【特許請求の範囲】
【請求項１】
頭部に装着された接眼光学系を用いて表示デバイスの虚像を観察するヘッドマウントディスプレイであって、前記表示デバイスが格納された表示部に、マイクロフォンが取り付けられていることを特徴とするヘッドマウントディスプレイ。
【請求項２】
前記マイクロフォンは、指向性が切り換え可能とされていることを特徴とする請求項１に記載のヘッドマウントディスプレイ。
【請求項３】
前記表示部は、上下左右を反転させることにより、左眼用と右眼用に切り換えて使用可能なものであり、前記マイクロフォンの指向性が、上下方向に切り換え可能とされていることを特徴とする請求項２に記載のヘッドマウントディスプレイ。
【請求項４】
前記表示部は、使用者の目の前に位置する使用位置と、使用者の側方に位置する待機位置の間を移動可能とされ、前記マイクロフォンの指向性が、それぞれの位置における使用者の口の方向を向くように切り換え可能とされていることを特徴とする請求項２に記載のヘッドマウントディスプレイ。
【請求項５】
前記マイクロフォンは２個設けられ、各々のマイクロフォンの指向性が異なり、２個のマイクロフォンのうち１個を選択して使用可能とされていることを特徴とする請求項１に記載のヘッドマウントディスプレイ。
【請求項６】
前記表示部は、上下左右を反転させることにより、左眼用と右眼用に切り換えて使用可能なものであり、前記２個のマイクロフォンは、互いに上下方向に指向性が異なり、前記表示部を左眼用として使用する場合と右眼用として使用する場合とに応じて、使用するマイクロフォンの選択が可能とされていることを特徴とする請求項５に記載のヘッドマウントディスプレイ。
【請求項７】
前記表示部は、使用者の目の前に位置する使用位置と、使用者の側方に位置する待機位置の間を移動可能とされ、前記２個のマイクロフォンの指向性が、それぞれ、使用位置における使用者の口の方向、待機位置における使用者の口のを向くようにされており、前記表示部が使用位置にある場合と待機位置にある場合とに応じて、使用するマイクロフォンの選択が可能とされていることを特徴とする請求項５に記載のヘッドマウントディスプレイ。
【請求項８】
頭部に装着された接眼光学系を用いて表示デバイスの虚像を観察するヘッドマウントディスプレイであって、頭部に装着されるリアアームと、前記表示デバイスがを格納する表示部が取り付けられたディスプレイアームとを有し、前記リアアームに前記ディスプレイアームが取り付けられているものにおいて、前記リアアームにマイクロフォンが取り付けられていることを特徴とするヘッドマウントディスプレイ。
【請求項９】
前記ヘッドマウントディスプレイは、上下左右を反転させることにより、左眼用と右眼用に切り換えて使用可能なものであり、前記マイクロフォンの指向性が、上下方向に切り換え可能とされていることを特徴とする請求項８に記載のヘッドマウントディスプレイ。
【請求項１０】
前記ヘッドマウントディスプレイは、上下左右を反転させることにより、左眼用と右眼用に切り換えて使用可能なものであり、前記マイクロフォンは２個設けられ、前記２個のマイクロフォンは、互いに上下方向に指向性が異なり、前記表示部を左眼用として使用する場合と右眼用として使用する場合とに応じて、使用するマイクロフォンの選択が可能とされていることを特徴とする請求項８に記載のヘッドマウントディスプレイ。
【請求項１１】
前記表示部にもマイクロフォンが取り付けられていることを特徴とする請求項８に記載のヘッドマウントディスプレイ。
【請求項１２】
頭部に装着された接眼光学系を用いて表示デバイスの虚像を観察するヘッドマウントディスプレイであって、頭部に装着されるリアアームと、前記表示デバイスがを格納する表示部が取り付けられたディスプレイアームとを有し、前記リアアームに前記ディスプレイアームが取り付けられており、前記表示部は、使用者の目の前に位置する使用位置と、使用者の側方に位置する待機位置の間を移動可能とされたものにおいて、前記表示部と前記リアアームの両方にマイクロフォンが取り付けられており、前記表示部に取り付けられたマイクロフォンは、前記表示部が使用される状態における使用者の口の方向に指向性を有し、前記リアアームに取り付けられたマイクロフォンは、その取り付け位置から見た使用者の口の方向に指向性を有し、前記表示部が使用位置にある場合と待機位置にある場合とに応じて、使用するマイクロフォンの選択が可能とされていることを特徴とするヘッドマウントディスプレイ。
【発明の詳細な説明】
【技術分野】
【０００１】
本発明は頭部に装着して映像を観測するヘッドマウントディスプレイに関するものである。
【背景技術】
【０００２】
近年、液晶パネル（ＬＣＤ）等の標示デバイス上に表示された映像を、接眼レンズやハーフミラー等を有する光学系を介して拡大した虚像として観察する眼鏡タイプの映像表示装置が種々提案され、ヘッドマウントディスプレイと呼ばれている。
【０００３】
この映像表示装置は、多くの場合、頭に巻いた形で頭部に装着する構成とされ、両眼に対応する位置に映像表示系を形成した両眼タイプと左右眼の一方の眼に対応する位置に映像表示系を形成した片眼タイプとがある。このうち、両眼タイプのものは、主として映像を楽しむための目的に使用される。片眼タイプのものは、例えばウエアラブルパソコン等の表示装置等や、作業者に指示を表示する表示装置としての使用方法が期待されている。その例として、特開平８−３０５２９８号（特許文献１）、特開平１０−１１１４７０号公報（特許文献２）に記載されるような方式のものが公知となっている。
【０００４】
【特許文献１】特開平８−３０５２９８号
【特許文献２】特開平１０−１１１４７０号公報
【発明の開示】
【発明が解決しようとする課題】
【０００５】
本出願人は、このような公知のヘッドマウントディスプレイ装置とは異なる、全く新しい方式のヘッドマウントディスプレイについて、特願２００２−３７１９９4号として特許出願を行っている。その発明によれば、頭部に装着されるヘッドマウントディスプレイ本体部は、頭部の後部に装着されて、頭部を挟み込むような弾性を有するリアアームと、リアアームに取り付けられた左右のヘッドホーンと、先端部に表示部を取り付けたディスプレイアームとを主要部として構成されている。
【０００６】
このようなヘッドマウントディスプレイの１例を図１０に示す。なお、図１０に示すものは前述のとおり、新しい方式で公知のものではなく、前記特許文献１、特許文献２に記載されているような公知のものとは異なっている。図１０は、ヘッドマウントディスプレイを人間が頭に装着した状態を示すものである。ヘッドマウントディスプレイ２１のリアアーム２２は弾性を有し、人間の頭部を後頭部から挟み込んで、それ自身を人間の頭部に固定するようになっている。リアアーム２２には、保持部２３が取り付けられ、保持部２３は、ディスプレイアーム２４を摺動可能に保持するようになっている。ディスプレイアーム２４の先端には表示部２５が取り付けられている。そして、ディスプレイアーム２４を、保持部２３中に摺動させることにより前進後退させ、表示部２５を使用位置、待機位置とすることができる。
【０００７】
このような、ヘッドマウントディスプレイ２１において、表示部２５中に設けられた画像表示装置に電源や信号を供給する必要がある。従来考えられていた電源供給方式は、図１０に示すように、制御装置２７から配線ケーブル２８を通して、直接、表示部２５に電源配線や信号配線を行う方法であった。
【０００８】
このようなヘッドマウントディスプレイに携帯電話機能を持たせる場合には、マイクロフォンを付属させることが必要となる。又、このようなヘッドマウントディスプレイを、操作端末の一部として使用し、音声入力により指示を与えるようにした場合にも、やはりマイクロフォンが必要となる。このような場合通常考えられるのは、リアアーム２２にマイクロフォンホルダを取り付け、その先端部が使用者の口の前に位置するようにして、そこにマイクロフォンを取り付ける方法である。しかしながら、この方法では、マイクロフォンのホルダーが必要なため、それだけ構成が複雑になり、かつ、使用者に不快感を与えるという問題がある。
【０００９】
本発明はこのような事情に鑑みてなされたもので、簡単な構成で、かつ使用者に不快感を与えることなく音声入力が可能なヘッドマウントディスプレイを提供することを課題とする。
【課題を解決するための手段】
【００１０】
前記課題を解決するための第１の手段は、頭部に装着された接眼光学系を用いて表示デバイスの虚像を観察するヘッドマウントディスプレイであって、前記表示デバイスが格納された表示部に、マイクロフォンが取り付けられていることを特徴とするもの（請求項１）である。
【００１１】
本手段においては、表示部にマイクロフォンを取り付けている。よって、特別なマイクロフォンホルダを使用しなくても使用者の音声を入力することができる。従って、構成が簡単で、かつ、使用者に不快感を与えない。
【００１２】
前記課題を解決するための第２の手段は、前記第１の手段であって、前記マイクロフォンは、指向性が切り換え可能とされていることを特徴とするもの（請求項２）である。
【００１３】
本手段においては、マイクロフォンの指向性を切り換え可能となっているので、例えば、表示部の位置や姿勢と使用者の口の位置との関係に応じて、使用者の口の方向に指向性があるようにすることができる。
【００１４】
前記課題を解決するための第３の手段は、前記第２の手段であって、前記表示部は、上下左右を反転させることにより、左眼用と右眼用に切り換えて使用可能なものであり、前記マイクロフォンの指向性が、上下方向に切り換え可能とされていることを特徴とするもの（請求項３）である。
【００１５】
ヘッドマウントディスプレイの中には、表示部の上下左右を反転させることにより、左眼用と右眼用に切り換えて使用可能なものがある。このようなものにおいては、使用状態において、常に下側に指向性を有するようにしておく必要がある。一例として、本手段においては、マイクロフォンの指向性が、上下方向に切り換え可能とされているので、左右方向を反転させて使用する場合でも、それに応じてマイクロフォンの指向性を切り換えることにより、使用状態において、常にマイクロフォンの指向性が下側を向くようにすることができる。
【００１６】
前記課題を解決するための第４の手段は、前記第２の手段であって、前記表示部は、使用者の目の前に位置する使用位置と、使用者の側方に位置する待機位置の間を移動可能とされ、前記マイクロフォンの指向性が、それぞれの位置における使用者の口の方向を向くように切り換え可能とされていることを特徴とするもの（請求項４）である。
【００１７】
ヘッドマウントディスプレイの中には、表示部が、使用者の目の前に位置する使用位置と、使用者の側方に位置する待機位置の間を移動可能とされているものがある。この場合には、表示部からみた場合、使用位置における使用者の口の方向と、待機位置における使用者の口の方向が異なってくる。本手段においては、マイクロフォンの指向性が、それぞれの位置における使用者の口の方向を向くように切り換え可能とされているので、いずれの位置においても使用者の音声を入力することができる。よって、表示部を使用しない場合においても、マイクロフォンの機能を生かして使用することができる。
【００１８】
前記課題を解決するための第５の手段は、前記第１の手段であって、前記マイクロフォンは２個設けられ、各々のマイクロフォンの指向性が異なり、２個のマイクロフォンのうち１個を選択して使用可能とされていることを特徴とするもの（請求項５）である。
【００１９】
本手段においては、２個のマイクロフォンを切り換えて使用することにより、前記第２の手段と同等の作用効果が得られる。
【００２０】
前記課題を解決するための第６の手段は、前記第５の手段であって、前記表示部は、上下左右を反転させることにより、左眼用と右眼用に切り換えて使用可能なものであり、前記２個のマイクロフォンは、互いに上下方向に指向性が異なり、前記表示部を左眼用として使用する場合と右眼用として使用する場合とに応じて、使用するマイクロフォンの選択が可能とされていることを特徴とするもの（請求項６）である。
【００２１】
本手段においては、２個のマイクロフォンを切り換えて使用することにより、前記第３の手段と同等の作用効果が得られる。
【００２２】
前記課題を解決するための第７の手段は、前記第５の手段であって、前記表示部は、使用者の目の前に位置する使用位置と、使用者の側方に位置する待機位置の間を移動可能とされ、前記２個のマイクロフォンの指向性が、それぞれ、使用位置における使用者の口の方向、待機位置における使用者の口のを向くようにされており、前記表示部が使用位置にある場合と待機位置にある場合とに応じて、使用するマイクロフォンの選択が可能とされていることを特徴とするもの（請求項７）である。
【００２３】
本手段においては、２個のマイクロフォンを切り換えて使用することにより、前記第４の手段と同等の作用効果が得られる。
【００２４】
前記課題を解決するための第８の手段は、頭部に装着された接眼光学系を用いて表示デバイスの虚像を観察するヘッドマウントディスプレイであって、頭部に装着されるリアアームと、前記表示デバイスがを格納する表示部が取り付けられたディスプレイアームとを有し、前記リアアームに前記ディスプレイアームが取り付けられているものにおいて、前記リアアームにマイクロフォンが取り付けられていることを特徴とするもの（請求項８）である。
【００２５】
本手段においては、頭部に固定される部分であるリアアームにマイクロフォンが取り付けられているので、表示部の位置にかかわらず、ほぼ一定の方向に指向性を持たせた状態で、音声入力を行うことができる。
【００２６】
前記課題を解決するための第９の手段は、前記第８の手段であって、前記ヘッドマウントディスプレイは、上下左右を反転させることにより、左眼用と右眼用に切り換えて使用可能なものであり、前記マイクロフォンの指向性が、上下方向に切り換え可能とされていることを特徴とするもの（請求項９）である。
【００２７】
本手段においては、ヘッドマウントディスプレイの、上下左右を反転させることにより、左眼用と右眼用に切り換えて使用する場合においても、マイクロフォンの指向性が、上下方向に切り換え可能であるので、使用者の口の方向に指向性を持たせることができる。
【００２８】
前記課題を解決するための第１０の手段は、前記第８の手段であって、前記ヘッドマウントディスプレイは、上下左右を反転させることにより、左眼用と右眼用に切り換えて使用可能なものであり、前記マイクロフォンは２個設けられ、前記２個のマイクロフォンは、互いに上下方向に指向性が異なり、前記表示部を左眼用として使用する場合と右眼用として使用する場合とに応じて、使用するマイクロフォンの選択が可能とされていることを特徴とするもの（請求項１０）である。
【００２９】
本手段においては、２個のマイクロフォンを切り換えて使用することにより、前記第９の手段と同等の作用効果が得られる。
【００３０】
前記課題を解決するための第１１の手段は、前記第８の手段であって、前記表示部にもマイクロフォンが取り付けられていることを特徴とするもの（請求項１１）である。
【００３１】
本手段においては、表示部とリアアームの両方にマイクロフォンが使用されているので、例えば、これらのマイクロフォンに異なる機能を持たせて使用することができる。
【００３２】
前記課題を解決するための第１２の手段は、頭部に装着された接眼光学系を用いて表示デバイスの虚像を観察するヘッドマウントディスプレイであって、頭部に装着されるリアアームと、前記表示デバイスがを格納する表示部が取り付けられたディスプレイアームとを有し、前記リアアームに前記ディスプレイアームが取り付けられており、前記表示部は、使用者の目の前に位置する使用位置と、使用者の側方に位置する待機位置の間を移動可能とされたものにおいて、前記表示部と前記リアアームの両方にマイクロフォンが取り付けられており、前記表示部に取り付けられたマイクロフォンは、前記表示部が使用される状態における使用者の口の方向に指向性を有し、前記リアアームに取り付けられたマイクロフォンは、その取り付け位置から見た使用者の口の方向に指向性を有し、前記表示部が使用位置にある場合と待機位置にある場合とに応じて、使用するマイクロフォンの選択が可能とされていることを特徴とするもの（請求項１２）である。
【００３３】
本手段においては、例えば、表示部を使用中は表示部に取り付けられたマイクロフォンで、表示部を使用しないときはリアアームに取り付けられたマイクロフォンで、音声入力を行うことができる。
【発明の効果】
【００３４】
以上説明したように、本発明によれば、簡単な構成で、かつ使用者に不快感を与えることなく音声入力が可能なヘッドマウントディスプレイを提供することができる。
【発明を実施するための最良の形態】
【００３５】
以下、本発明の実施の形態の例を、図を用いて説明する。図１は、本発明の第１の実施の形態であるヘッドマウントディスプレイの概要を示す図である。ヘッドマウントディスプレイ１は、リアアーム２、リアアーム２に取り付けられた収納部３、収納部３に収納可能に保持されたディスプレイアーム４、ディスプレイアーム４の先端に回動可能に取り付けられた表示部５、リアアーム２の両端部に設けられたヘッドホーン６を主要部としている。ヘッドホーン６には、耳かけ６ａが設けられている。なお、課題を解決するための手段の欄及び特許請求の範囲では、収納部３もリアアーム２の一部として考えている。
【００３６】
表示部５には、その前面にマイクロフォン７が設けられている。図１に示す状態では、表示部５は使用者の左眼の前に位置し、マイクロフォン７の指向性は、ヘッドマウントディスプレイ１の装着状態で斜め右下側にある使用者の口の方向を向くようにされている。図１に示す状態においては、ヘッドマウントディスプレイ１は左眼用のものであるが、上下左右を反転させ（１８０°回転させ）、耳かけ６ａを付け替えることにより右眼用とすることができる。その場合、このままではマイクロフォン７の指向性が上方向を向いてしまい、使用者の音声を入力することが困難になる。そこで、後に述べる指向性切り換え手段により指向性を切り換え、その状態でマイクロフォン７の指向性が左下を向くようにする。ヘッドマウントディスプレイ１が左眼用として使用されているか右眼用として使用されているかは、ヘッドマウントディスプレイ１の上下関係をセンサ（例えば重力センサや、耳かけ６ａの取り付けの場所を検出するスイッチ等）で検出することにより、容易に検出できる。
【００３７】
図２は、図１に示したヘッドマウントディスプレイ１において、ディスプレイアーム４を収納部３の中に収納して待機状態とした場合のヘッドマウントディスプレイ１の概要を示す平面図である。以下の図面においては、発明を実施するための最良の形態の欄において先に説明された図中に示された構成要素と同じ構成要素には、同じ符号を付してその説明を省略する。
【００３８】
この場合、表示部５はディスプレイアーム４の先端で外側に回動され、使用者の顔面にぶつからないようにされている。この場合は表示部５の表示機能は使用されていないが、引き続きマイクロフォン７の機能だけは使用したいときがある。しかし、使用者の口の位置は表示部５から見て、図１に示した状態におけるよりもさらに右側となり、マイクロフォン７からより遠くなっている。よって、この場合もマイクロフォン７の指向性を切り換え、指向性の範囲をより広くすると共に、その方向をさらに右側とするようにする。表示部５が使用状態の位置にあるか待機状態の位置にあるかは、ディスプレイアーム４の後端部位置を検出するリミットスイッチ等により容易に検出できる。
【００３９】
図３に、このようなヘッドマウントディスプレイ装置の電気回路の概略ブロック図を示す。コントローラは、図１に示したヘッドマウントディスプレイ１の外部に設けられ、装置全体の制御を行うものであり、外部装置との信号の授受を行う外部インターフェース、携帯電話モジュール、記憶部を有し、これらが、ＡＶセレクタ（音声、画像セレクタ）を介して制御部、画像処理部とつながっている。
【００４０】
制御部は、外部装置その他の装置からの入力より、表示デバイスに画像表示する情報を選択したり、ヘッドホーンから出力する音声を選択したりする。画像処理部は、ＡＶセレクタよりの画像信号と制御部よりの制御信号を受け、表示デバイスに表示する画像信号を出力する。
【００４１】
ヘッドマウントディスプレイ１の収納部３には、制御インターフェース、マイクアンプ、表示処理部、駆動部、表示部位置・姿勢検出部が内蔵されている。制御インターフェースは、コントローラの制御部との信号をやりとりし、表示処理部は、画像処理部からの画像信号を受けて、表示デバイスを制御する信号を発生する。マイクアンプは、表示部５に設けられたマイクロフォンの信号を増幅する。駆動部はディスプレイアーム４を、動力により出し入れする場合に用いられる。
【００４２】
表示部５には、表示デバイス、マイクロフォン、マイク指向性変更手段が設けられている。収納部３の表示部位置・姿勢検出部は、ディスプレイアーム４が引き出された状態（表示部５の使用状態）にあるのか、収納された状態（待機状態）にあるのかを、例えば、ディスプレイアーム４の後端部の位置をリミットスイッチ等の検出器で検出することにより、判別する。又は、ヘッドマウントディスプレイ１が左眼用として使用されているのか、右眼用として使用されているのかを、例えば、重力センサにより検出する。この信号は、制御インターフェースを介して制御部に送られ、制御部は、それに応じて、制御インターフェースを介してマイク指向性変更手段を制御して、マイクロフォンの指向性を切り換える。
【００４３】
図４は、本発明の第２の実施の形態であるヘッドマウントディスプレイの概要を示す図である。この実施の形態は図１に示された第１の実施の形態とほとんど同じであるが、表示部５に２つのマイクロフォン７ａ、７ｂが設けられている点が異なっている。図４は、ヘッドマウントディスプレイ１が左眼用として使用される状態を示しているが、この状態においてはマイクロフォン７ａが使用され、その指向性の向きは右下方向とされている。
【００４４】
ヘッドマウントディスプレイ１を図４に示す位置から上下左右を反転させて（１８０°回転させて）、耳かけ６ａを付け替えると、右眼用として使用可能となる。そのときは、マイクロフォン７ｂが使用される。マイクロフォン７ｂは、その使用状態において、指向性の方向が左下を向くようにされている。
【００４５】
図５は、図４に示したヘッドマウントディスプレイ１を使用するヘッドマウントディスプレイ装置の電気回路の概略ブロック図を示す図である。
【００４６】
図５に示される回路は、図３に示したものとは、表示部にマイク１とマイク２の２つのマイクロフォンが設けられ、マイク指向性変更手段が無いこと、収納部のマイクアンプの代わりにマイクアンプ切換部が設けられていること、表示部位置・姿勢検出部の代わりに表示部姿勢検出部が設けられていることが異なっている。
【００４７】
表示部姿勢検出部は、図３の説明で述べたような方法により、ヘッドマウントディスプレイ１が左眼用として使用されるているか、右眼用として使用されているかを判別する。この信号は、制御インターフェースを介して制御部に送られ、制御部は、それに応じて、制御インターフェースを介してマイクアンプ切換部を制御して、マイク１とマイク２のどちらを使用するかを制御する。
【００４８】
図６は、本発明の第３の実施の形態であるヘッドマウントディスプレイの概要を示す図である。この実施の形態においては、マイクロフォン７が収納部３の先端部に設けられている。図は、ヘッドマウントディスプレイ１が左眼用として使用される場合の図であるが、この場合には、マイクロフォン７の指向性は、前方下側右向きとし、使用者の口の位置の方向を向くようにすることが好ましい。又、このヘッドマウントディスプレイ１は、上下左右を反転させて（１８０°回転させて）、耳かけ６ａを付け替えることにより右眼用としても使用可能なものであるが、その場合には、図１の説明において説明したように、マイクロフォン７の指向性を切り換え、右眼用として装着した場合に、その指向性が前方下方左向きとなるようにすることが好ましい。
【００４９】
図７は、本発明の第４の実施の形態であるヘッドマウントディスプレイの概要を示す図である。この実施の形態は、図６に示した実施の形態とは、マイクロフォン７ａ、７ｂの２つのマイクロフォンが使用されていることろが異なっている。これらのマイクロフォンは切り換えて使用されるが、その切り換え方法は、図４における説明で説明したものと基本的に異なるところがないので、その説明を省略する。
【００５０】
図８は、本発明の第５の実施の形態であるヘッドマウントディスプレイの概要を示す図であり、平面図である。この実施の形態においては、２つのマイクロフォン７ａ、７ｂが使用されているが、マイクロフォン７ａは表示部５に、マイクロフォン７ｂは収納部３の先端に取り付けられている。
【００５１】
これらのマイクロフォン７ａ、７ｂを両方使用する場合は、例えばマイクロフォン７ａの指向性の方向を、表示部５の使用位置における使用者の口の方向とし、マイクロフォン７ａを音声入力に使用し、一方、マイクロフォン７ｂの指向性を前方として、マイクロフォン７ｂを周囲の音の集音に使用するような使い方をする。
【００５２】
又、マイクロフォン７ａとマイクロフォン７ｂを切り換えて使用するようにし、表示部５が使用位置にあるときは、マイクロフォン７ａのみを使用して使用者の音声のみを入力し、表示部５が待機位置にあるときはマイクロフォン７ｂのみを使用して周囲の音を入力するようにしてもよい。
【００５３】
又、マイクロフォン７ｂの指向性を使用者の口の方向とし、マイクロフォン７ａとマイクロフォン７ｂを切り換えて使用するようにし、表示部５が使用位置にあるときは、マイクロフォン７ａのみを使用して使用者の音声を入力し、表示部５が使用位置にないときはマイクロフォン７ｂを使用して使用者の音声を入力するようにしてもよい。
【００５４】
図９は、図８に示したヘッドマウントディスプレイ１を使用するヘッドマウントディスプレイ装置の電気回路の概略ブロック図を示す図である。図９に示される回路は、図５に示したものとは、マイク２が収納部に取り付けられていることと、表示部姿勢検出部の代わりに表示部位置検出部が設けられていることが異なっている。
【００５５】
表示部位置検出部は、図３の説明で述べたような方法により、表示部５が使用位置にあるか待機位置にあるかを判別する。この信号は、制御インターフェースを介して制御部に送られ、制御部は、それに応じて、制御インターフェースを介してマイクアンプ切換部を制御して、マイク１とマイク２のどちらかを使用するようにする。また、マイク１とマイク２の両方を使用するモードの場合は、マイク１とマイク２を共に使用するようにする。
【図面の簡単な説明】
【００５６】
【図１】本発明の第１の実施の形態であるヘッドマウントディスプレイの概要を示す図である。
【図２】ディスプレイアームを収納部の中に収納して待機状態とした場合のヘッドマウントディスプレイの概要を示す平面図である。
【図３】ヘッドマウントディスプレイ装置の電気回路の概略ブロック図である。
【図４】本発明の第２の実施の形態であるヘッドマウントディスプレイの概要を示す図である。
【図５】図４に示したヘッドマウントディスプレイを使用するヘッドマウントディスプレイ装置の電気回路の概略ブロック図である。
【図６】本発明の第３の実施の形態であるヘッドマウントディスプレイの概要を示す図である。
【図７】本発明の第４の実施の形態であるヘッドマウントディスプレイの概要を示す図である。
【図８】本発明の第５の実施の形態であるヘッドマウントディスプレイの概要を示す図である。
【図９】図８に示したヘッドマウントディスプレイを使用するヘッドマウントディスプレイ装置の電気回路の概略ブロック図を示す図である。
【図１０】ヘッドマウントディスプレイの概要を示す図である。
【符号の説明】
【００５７】
１…ヘッドマウントディスプレイ
２…リアアーム
３…収納部
４…ディスプレイアーム
５…表示部
６…ヘッドホーン
６ａ…耳かけ
７，７ａ，７ｂ…マイクロフォン
【図１】
2005181440.tif 000003
【図２】
2005181440.tif 000004
【図３】
2005181440.tif 000005
【図４】
2005181440.tif 000006
【図５】
2005181440.tif 000007
【図６】
2005181440.tif 000008
【図７】
2005181440.tif 000009
【図８】
2005181440.tif 000010
【図９】
2005181440.tif 000011
【図１０】
2005181440.tif 000012